(57)【特許請求の範囲】
【請求項１】
感熱記録紙の感熱層上に熱転写により金属箔の印字を施したことを特徴とする偽造防止用印刷物。
【請求項２】
感熱記録紙の感熱層上に熱転写により金属箔の印字を施すと共に、上記金属箔の印字直下の上記感熱層を熱転写時の熱により発色させ、上記感熱記録紙に印字を施したことを特徴とする偽造防止用印刷物。
【請求項３】
上記金属箔として、金箔または銀箔を用いたことを特徴とする請求項１または２記載の偽造防止用印刷物。
【請求項４】
上記感熱記録紙の所定領域に耐擦過性を高めるための保護膜を被着したことを特徴とする請求項３記載の偽造防止用印刷物。
【発明の詳細な説明】
【０００１】
【発明の属する技術分野】
本発明は、改竄や複写などによる偽造を防止することができる偽造防止用印刷物に関する。
【０００２】
【従来の技術】
従来、印刷物、たとえば、図５および図６に示すようなバス定期券１０は、紙その他合成紙よりなる紙基材１１の表面に日付けなどの各種情報１２が印字されている。
【０００３】
【発明が解決しようとする課題】
ところで、上記のようなバス定期券１０は、複写機により容易に複写されるため、不用意に情報が漏洩したり、カラー複写により簡単に偽造され、さらには各種情報１２、特に日付けなどが容易に改竄されるという問題点がある。
【０００４】
本発明は、上記のような問題点に鑑みてなされたものであって、その目的とするところは、印字された情報の改竄および複写により偽造されるのを防止することができる偽造防止用印刷物を提供することにある。
【０００５】
本発明の上記ならびにその他の目的と新規な特徴は、本明細書の記述および添付図面から明らかになるであろう。
【０００６】
【課題を解決するための手段】
上記目的を達成すべく、本発明に係る偽造防止用印刷物は、感熱記録紙の感熱層上に熱転写により金属箔の印字を施したことを特徴とするものである。
【０００７】
また、感熱記録紙の感熱層上に熱転写により金属箔の印字を施すと共に、上記金属箔の印字直下の上記感熱層を熱転写時の熱により発色させ、上記感熱記録紙に印字を施したことを特徴とするものである。
【０００８】
さらに、上記金属箔として、金箔または銀箔を用いたことを特徴とするものである。
【０００９】
さらに、上記感熱記録紙の所定領域に耐擦過性を高めるための保護膜を被着したことを特徴とするものである。
【００１０】
従って、本発明の偽造防止用印刷物は、感熱記録紙上に金箔および銀箔などの金属箔の印字を行なったので、この印刷物を複写した場合、金属箔の印字が鏡面反射し黒く転写される。
【００１１】
また、金属箔を熱転写する際の熱により金属箔の印字直下の感熱記録紙にも印字が施されたので、金属箔の印字を擦り削りとっても、金属箔の印字直下の感熱記録紙の印字が現れ情報が保持されると共に、感熱記録紙が擦られることにより印字部が発色する。
【００１２】
さらに、感熱記録紙の所定領域に耐擦過性を高めるための保護膜を被着したので、感熱記録紙の耐擦過性が向上し、擦れても発色しなくなり、印刷物の汚れが防止される。
【００１３】
【発明の実施の形態】
以下、本発明の実施の形態を図面に基づいて詳細に説明する。実施の形態を説明するに当たって、同一機能を奏するものは同じ符号を付して説明する。
【００１４】
図１は、本発明の一実施の形態に係るバス定期券の平面図、図２は、図１のＢ−Ｂ断面図、図３は、本発明の他の実施の形態に係るバス定期券の平面図、図４は、図３のＣ−Ｃ断面図である。
【００１５】
すなわち、偽造防止用印刷物、たとえばバス定期券２０は、図１および図２に示すように、感熱記録紙２１上に金属箔、たとえば金箔の日付けなどの各種情報２２が熱転写プリンタの金箔リボンを用いて熱転写印字されている。
【００１６】
感熱記録紙２１は、紙その他合成紙よりなる紙基材２３と、紙基材２３上に表面塗工された感熱層２４とからなり、感熱層２４は無色のロイコ染料（電子供与体）、たとえばクリスタルバイオレットラクトンと、酸性物質（電子受容体）、たとえばビスフェノールＡなどが樹脂バインダ中に分散されたものである。
【００１７】
感熱層２４上には、上記した如く金箔の各種情報２２が熱転写により印字されることから、金箔の印字直下の感熱層２４は熱転写時の熱により黒く（赤くまたは青く）発色し、感熱記録紙２１にも各種情報２２が印字されている。
【００１８】
バス定期券２０は、以上の如く、感熱記録紙２１の感熱層２４上に金箔の印字が施されているので、バス定期券２０をカラー複写した際、金箔の印字が鏡面反射し黒く転写されるので、複写機によるバス定期券２０の複写偽造が防止される。
【００１９】
また、バス定期券２０は、感熱記録紙２１を用いていることから、日付けなどの情報を改竄するため、印字部を爪やコインで擦ると、摩擦熱などによりロイコ染料と顕色剤とが溶融して感熱層２４が黒く発色し、情報の改竄を防止することができる。
【００２０】
また、金箔の印字が擦りとられても、感熱記録紙２１に印字された各種情報２２が現れるので、各種情報２２は確実に保持される。
【００２１】
図３および図４に示すバス定期券３０は、感熱記録紙３１の感熱層３４上に金箔の日付けなどの各種情報３２が金箔リボンにより熱転写印字されている。
【００２２】
感熱記録紙３１は、紙その他合成紙よりなる紙基材３３上に感熱層３４が表面塗工されたものであり、感熱層３４は、無色のロイコ染料（電子供与体）、たとえばクリスタルバイオレットラクトンと、酸性物質（電子受容体）、たとえばビスフェノールＡなどが樹脂バインダ中に分散されたものである。
【００２３】
金箔の印字直下の感熱層３４は、金箔の印字を熱転写する際の熱により黒く発色し、感熱記録紙３１にも各種情報３２が印字されている。
【００２４】
各種情報３２は、日付けなど特に偽造を防止する必要のある重要情報３２ａおよび一般情報３２ｂからなり、重要情報３２ａが印字された重要情報領域３６以外の感熱層３４上には耐擦過性を高めるための保護膜３７が被着されている。
【００２５】
従って、バス定期券３０は、感熱記録紙３１上に金箔の印字が施されているので、バス定期券３０をカラー複写した場合、金箔の印字が鏡面反射し黒く転写され、複写偽造が容易に防止される。
【００２６】
さらに、日付けなどの重要情報３２ａを改竄するため、印字部を爪やコインで擦ると、摩擦熱などによりロイコ染料と顕色剤とが溶融して感熱記録紙３１の感熱層３４が黒く発色するので、重要情報３２ａの改竄を防止することができる。
【００２７】
その際、金箔の印字が削りとられても、重要情報３２ａが感熱記録紙３１に印字されているので、重要情報３２ａは確実に保持される。
【００２８】
また、感熱記録紙３１に耐擦過性を高めるための保護膜３７を被着したので、感熱記録紙３１の耐擦過性が向上し、擦れても発色しなくなり、バス定期券３０の汚れが防止される。
【００２９】
このように、本実施の形態のバス定期券２０，３０は、感熱記録紙２１，３１を用い、この感熱記録紙２１，３１上に金箔の印字を施したことで、バス定期券２０，３０をカラー複写した場合、金箔の印字が鏡面反射し黒く転写するので、複写によるバス定期券２０，３０の偽造を防止することが可能となる。
【００３０】
また、金箔の印字を熱転写する際の熱により、感熱記録紙２１，３１にも各種情報２２，３２が印字されるので、金箔の印字を削りとっても、各種情報２２，３２は保持される。
【００３１】
さらに、各種情報２２，３２を改竄するため、印字部を擦ると、感熱記録紙２１，３１の感熱層２４，３４が黒く発色するので、改竄を防止することができる。
【００３２】
また、感熱記録紙３１の所定領域に耐擦過性を高めるための保護膜３７を被着したので、感熱記録紙３１の所定領域の耐擦過性が向上し擦れても発色しないため、バス定期券３０の汚れを防止することができ、印字を鮮明に保持することができる。
【００３３】
なお、本実施の形態では、感熱記録紙２１，３１上に金箔の印字を行なったが、これに限定されず、たとえば銀箔、その他鏡面反射する金属箔の印字を行なってもよい。
【００３４】
さらに、金属箔の素材としては、主にアルミやスズが使用される。
【００３５】
また、本実施の形態は、偽造防止用印刷物としてバス定期券２０，３０を例にとって説明したが、重要書類など偽造を防止する必要のある印刷物全てに適用されることは言うまでもない。
【００３６】
【発明の効果】
以上の説明から理解されるように、本発明の偽造防止用印刷物によれば、感熱記録紙の感熱層上に金箔または銀箔などの金属箔の印字を行なったことで、印刷物を複写した場合、金属箔の印字が鏡面反射し黒く転写されるので、複写による印刷物の偽造を防止することができる。
【００３７】
また、金属箔の印字直下の感熱記録紙にも印字が施されているので、印字を改竄するため、金属箔の印字を擦り削りとっても、感熱記録紙の印字が現れ、当該印字を保持することができる。
【００３８】
さらに、感熱記録紙の印字部を擦ると、発色するため、印字の改竄を防止することができる。
【００３９】
また、感熱記録紙の所定領域に耐擦過性を高めるための保護膜を被着したことから、所定領域の耐擦過性が向上し、擦れても発色しないので、印刷物の汚れを防止することができ、印字を鮮明に保持することができる。
【図面の簡単な説明】
【図１】本発明の一実施の形態であるバス定期券の平面図。
【図２】図１のＢ−Ｂ断面図。
【図３】本発明の他の実施の形態であるバス定期券の平面図。
【図４】図３のＣ−Ｃ断面図。
【図５】従来のバス定期券の平面図。
【図６】図５のＡ−Ａ断面図。
【符号の説明】
１０，２０，３０  バス定期券
１１，２３，３３  紙基材
１２，２２，３２  各種情報
２１，３１  感熱記録紙
２４，３４  感熱層
３２ａ  重要情報
３２ｂ  一般情報
３６  重要情報領域
３７  保護膜
【図１】
0004033272.tif 000002
【図２】
0004033272.tif 000003
【図３】
0004033272.tif 000004
【図４】
0004033272.tif 000005
【図５】
0004033272.tif 000006
【図６】
0004033272.tif 000007